【手続補正書】
【提出日】平成19年7月18日(2007.7.18)
【手続補正１】
【補正対象書類名】明細書
【補正対象項目名】特許請求の範囲
【補正方法】変更
【補正の内容】
【特許請求の範囲】
【請求項１】  レボルバの支持ねじ部に螺合する取付ねじ部及び前記レボルバの当て付け面に当て付けられる取付面を、対物レンズを内蔵した対物レンズ鏡筒に加工する加工装置であって、
前記対物レンズ鏡筒を保持するチャックと、
このチャックを回転させるスピンドルと、
前記対物レンズ鏡筒内の前記対物レンズに測定光を照射する光学系と、
測定光が前記対物レンズを透過して結像する位置に配置される標本を有し該標本に結像したスポットを観察可能にする観察系と、
前記標本の位置と前記対物レンズの焦点位置とが一致するように前記チャックと前記スピンドルとの相対位置を調整する位置調整機構部と、
前記標本と前記対物レンズ鏡筒の前記取付面との間隔を一定に保った状態で前記チャックに保持した前記対物レンズ鏡筒の前記取付面を加工し、前記取付ねじ部を加工する加工工具と、
前記観察系を配置した観察系支持枠と、
前記加工工具を取り付けたバイト台と、を備え、
前記観察系支持枠と前記バイト台とが連結されており、
前記加工工具と前記標本との間隔を一定の同焦距離に固定した状態で、前記観察系支持枠と前記バイト台とが測定光の光路に沿って一体的に移動可能となっていることを特徴とする対物レンズ鏡筒の加工装置。
【請求項２】  レボルバの支持ねじ部に螺合する取付ねじ部及び前記レボルバの当て付け面に当て付けられる取付面を、対物レンズを内蔵した対物レンズ鏡筒に加工する加工装置であって、
前記対物レンズ鏡筒を保持するチャックと、
このチャックを回転させるスピンドルと、
前記対物レンズ鏡筒内の前記対物レンズに測定光を照射する光学系と、
測定光が前記対物レンズを透過して結像する位置に配置される標本を有し該標本に結像したスポットを観察可能にする観察系と、
前記標本の位置と前記対物レンズの焦点位置とが一致するように前記チャックと前記スピンドルとの相対位置を調整する位置調整機構部と、
前記対物レンズに照射した測定光が結像する位置と前記対物レンズ鏡筒の前記取付面との間隔を同焦距離とした状態で、前記対物レンズ鏡筒の前記取付面を加工し、前記取付ねじ部を加工する加工工具と、
前記観察系を配置した観察系支持枠と、
前記加工工具を取り付けたバイト台と、を備え、
前記観察系支持枠と前記バイト台とが連結されており、
前記加工工具と前記標本との間隔を一定の同焦距離に固定した状態で、前記観察系支持枠と前記バイト台とが測定光の光路に沿って一体的に移動可能となっていることを特徴とする対物レンズ鏡筒の加工装置。
【請求項３】  前記加工工具は、前記取付面及び取付ねじ部を加工する工具であることを特徴とする請求項１〜２のいずれかに記載の対物レンズ鏡筒の加工装置。
【請求項４】  前記加工工具は、前記取付面を加工する取付面加工工具と、取付ねじ部を加工する取付ねじ部加工工具とからなることを特徴とする請求項１〜２のいずれかに記載の対物レンズ鏡筒の加工装置。
【請求項５】  レボルバの支持ねじ部に螺合する取付ねじ部及び前記レボルバの当て付け面に当て付けられる取付面を、対物レンズを内蔵した対物レンズ鏡筒に加工する方法であって、
前記対物レンズに照射した測定光を標本に結像させ、
前記標本と前記対物レンズの焦点位置を一致させると共に、
前記標本と前記対物レンズ鏡筒の取付面との間隔を一定に保った状態で、かつ、対物レンズ鏡筒の取付面を加工する加工工具と前記標本との間隔を一定の同焦距離に固定した状態で、
前記取付面及び前記取付ねじ部を加工することを特徴とする対物レンズ鏡筒の加工方法。
【請求項６】  レボルバの支持ねじ部に螺合する取付ねじ部及び前記レボルバの当て付け面に当て付けられる取付面を、対物レンズを内蔵する対物レンズ鏡筒に加工する方法であって、
前記対物レンズに照射した測定光が結像する位置と前記対物レンズ鏡筒の取付面との間隔を同焦距離とし、
前記結像する位置を標本の位置にする観察系と該標本に対し同焦距離を保った位置に固定した加工工具とを移動手段に隔離して設けると共に該移動手段を測定光の光路に沿って移動自在に配置し、
前記対物レンズに照射した測定光が結像する位置と前記標本の位置が一致するように前記移動手段を測定光の光路に沿って移動調整し、
その後、前記同焦距離に保った位置に固定した前記加工工具により前記対物レンズ鏡筒の前記取付面を加工する工程及び
前記加工工具または前記加工工具とは異なる加工工具により前記対物レンズ鏡筒の前記取付ねじ部を加工する工程を行うことを特徴とする対物レンズ鏡筒の加工方法。
【手続補正２】
【補正対象書類名】明細書
【補正対象項目名】００１３
【補正方法】変更
【補正の内容】
【００１３】
すなわち、請求項１の発明の対物レンズ鏡筒の加工装置は、レボルバの支持ねじ部に螺合する取付ねじ部及び前記レボルバの当て付け面に当て付けられる取付面を、対物レンズを内蔵した対物レンズ鏡筒に加工する加工装置であって、前記対物レンズ鏡筒を保持するチャックと、このチャックを回転させるスピンドルと、前記対物レンズ鏡筒内の前記対物レンズに測定光を照射する光学系と、測定光が前記対物レンズを透過して結像する位置に配置される標本を有し該標本に結像したスポットを観察可能にする観察系と、前記標本の位置と前記対物レンズの焦点位置とが一致するように前記チャックと前記スピンドルとの相対位置を調整する位置調整機構部と、前記標本と前記対物レンズ鏡筒の前記取付面との間隔を一定に保った状態で前記チャックに保持した前記対物レンズ鏡筒の前記取付面を加工し、前記取付ねじ部を加工する加工工具と、前記観察系を配置した観察系支持枠と、前記加工工具を取り付けたバイト台と、を備え、前記観察系支持枠と前記バイト台とが連結されており、前記加工工具と前記標本との間隔を一定の同焦距離に固定した状態で、前記観察系支持枠と前記バイト台とが測定光の光路に沿って一体的に移動可能となっていることを特徴とする。
【手続補正３】
【補正対象書類名】明細書
【補正対象項目名】００１７
【補正方法】変更
【補正の内容】
【００１７】
請求項２の発明の対物レンズ鏡筒の加工装置は、レボルバの支持ねじ部に螺合する取付ねじ部及び前記レボルバの当て付け面に当て付けられる取付面を、対物レンズを内蔵した対物レンズ鏡筒に加工する加工装置であって、前記対物レンズ鏡筒を保持するチャックと、このチャックを回転させるスピンドルと、前記対物レンズ鏡筒内の前記対物レンズに測定光を照射する光学系と、測定光が前記対物レンズを透過して結像する位置に配置される標本を有し該標本に結像したスポットを観察可能にする観察系と、前記標本の位置と前記対物レンズの焦点位置とが一致するように前記チャックと前記スピンドルとの相対位置を調整する位置調整機構部と、前記対物レンズに照射した測定光が結像する位置と前記対物レンズ鏡筒の前記取付面との間隔を同焦距離とした状態で、前記対物レンズ鏡筒の前記取付面を加工し、前記取付ねじ部を加工する加工工具と、前記観察系を配置した観察系支持枠と、前記加工工具を取り付けたバイト台と、を備え、前記観察系支持枠と前記バイト台とが連結されており、前記加工工具と前記標本との間隔を一定の同焦距離に固定した状態で、前記観察系支持枠と前記バイト台とが測定光の光路に沿って一体的に移動可能となっていることを特徴とする。
【手続補正４】
【補正対象書類名】明細書
【補正対象項目名】００２０
【補正方法】変更
【補正の内容】
【００２０】
また、請求項１又は２記載の発明は、対物レンズ鏡筒の加工装置であって、前記標本を有する観察系を配置した観察系支持枠と対物レンズ鏡筒の少なくとも取付面を加工する加工工具を取り付けたバイト台とが連結されており、対物レンズ鏡筒の取付面を加工する加工工具と標本との間隔を一定の同焦距離に固定した状態で、観察系支持枠とバイト台とが測定光の光路に沿って一体的に移動可能となっていることを特徴とする。
【手続補正５】
【補正対象書類名】明細書
【補正対象項目名】００２２
【補正方法】変更
【補正の内容】
【００２２】
請求項３の発明は、請求項１〜２のいずれかに記載の対物レンズ鏡筒の加工装置であって、前記加工工具は、前記取付面及び取付ねじ部を加工する工具であることを特徴とする。
【手続補正６】
【補正対象書類名】明細書
【補正対象項目名】００２４
【補正方法】変更
【補正の内容】
【００２４】
請求項４の発明は、請求項１〜３のいずれかに記載の対物レンズ鏡筒の加工装置であって、前記加工工具は、前記取付面を加工する取付面加工工具と、取付ねじ部を加工する取付ねじ部加工工具とからなることを特徴とする。
【手続補正７】
【補正対象書類名】明細書
【補正対象項目名】００２７
【補正方法】変更
【補正の内容】
【００２７】
請求項５の発明の対物レンズ鏡筒の加工方法は、レボルバの支持ねじ部に螺合する取付ねじ部及び前記レボルバの当て付け面に当て付けられる取付面を、対物レンズを内蔵した対物レンズ鏡筒に加工する方法であって、前記対物レンズに照射した測定光を標本に結像させ、前記標本と前記対物レンズの焦点位置を一致させると共に、前記標本と前記対物レンズ鏡筒の取付面との間隔を一定に保った状態で、かつ、対物レンズ鏡筒の取付面を加工する加工工具と前記標本との間隔を一定の同焦距離に固定した状態で、前記取付面及び前記取付ねじ部を加工することを特徴とする。
【手続補正８】
【補正対象書類名】明細書
【補正対象項目名】００２９
【補正方法】変更
【補正の内容】
【００２９】
請求項６の発明の対物レンズ鏡筒の加工方法は、レボルバの支持ねじ部に螺合する取付ねじ部及びレボルバの当て付け面に当て付けられる取付面を、対物レンズを内蔵する対物レンズ鏡筒に加工する方法であって、前記対物レンズに照射した測定光が結像する位置と対物レンズ鏡筒の取付面との間隔を同焦距離とし、前記結像する位置を標本の位置にする観察系と該標本に対し同焦距離を保った位置に固定した加工工具とを移動手段に隔離して設けると共に該移動手段を測定光の光路に沿って移動自在に配置し、対物レンズに照射した測定光が結像する位置と標本の位置が一致するように移動手段を測定光の光路に沿って移動調整し、その後、前記同焦距離に保った位置に固定した加工工具により対物レンズ鏡筒の取付面を加工する工程及び前記加工工具または前記加工工具とは異なる加工工具により対物レンズ鏡筒の取付ねじ部を加工する工程を行うことを特徴とする。